(57)【要約】【課題】看護等を行う際の体型を保持するための看護用マットを提供する。【解決手段】この看護用マット１０は、主マット１２および補助マット１４からなる。主マット１２は、メインマット部１６、および、互いに平行に距離を隔てて配置される一対のサイドマット部１８，１８を含み、コの字状の平面形状で、且つ全面均一な厚みを持って形成される。メインマット部１６および一対のサイドマット部１８、１８により囲まれた領域には、保持空間部２０が形成されている。そして、主マット１２に形成された保持空間部２０の周縁部における主マット１２の上面には、身体上部支持面２２が形成されている。また、保持空間部２０において、メインマット部１６が位置する方向の反対側には、開口部２４が形成されている。保持空間部２０は、保持空間部２０と身体上部支持面２２との協働作用により、身体の胸部近傍の胴部が自重により沈むことができる程度に保持できる大きさを備えている。【選択図】図４
2006015129.tif 000002
【特許請求の範囲】
【請求項１】
弾性を有する主マットおよび補助マットからなる看護用マットであって、
前記主マットは、
メインマット部、および、互いに略平行に距離を隔てて配置される一対のサイドマット部を含み、
前記メインマット部および前記一対のサイドマット部により全体がコの字状の平面形状で、且つ全面均一な厚みを持って形成され、
前記メインマット部および前記一対のサイドマット部により囲まれた領域には、保持空間部が形成され、
前記一対のサイドマット部は、少なくとも身体の肩から肘の部分が載せられる長さを有し、
前記保持空間部の周縁部における前記主マットの上面には、身体上部支持面が形成され、
前記保持空間部は、前記保持空間部と前記身体上部支持面との協働作用により身体の胸部近傍における胴部が自重により沈むことができる程度に保持できる大きさを備え、
前記補助マットは、
略直方体で前記主マットと略同じ高さ（厚さ）に形成され、且つ少なくとも身体の頭部の幅よりも広く背肩幅よりも狭い大きさを有することを特徴とする、看護用マット。
【請求項２】
前記主マットは、
前記保持空間部が、身体の胸部近傍における胴部が自重により沈むことができる程度の大きさを備え、且つ前記メインマット部が、上半身の上部（頭部を除く）が自重により沈むことなく前記メインマット部の上面で支えられる大きさを備え、
前記補助マットは、
身体の後頭部または前頭部を支持する機能を有することを特徴とする、請求項１に記載の看護用マット。
【請求項３】
前記主マットは、
前記保持空間部が、身体の胸部近傍における胴部が自重により沈むことができる程度の大きさを備え、且つ前記メインマット部が、身体の頭部が自重により沈むことなく前記メインマット部の上面で支えられる大きさを備え、
前記補助マットは、
前記主マットの前記一対のサイドマット部の一方の他端部の前面と連接するように形成されることを特徴とする、請求項１に記載の看護用マット。
【請求項４】
前記メインマット部の幅の長さは、５５ｃｍ以上で、治療用ベッドの幅の長さ以下の長さであることを特徴とする、請求項１ないし請求項３のいずれかに記載の看護用マット。
【請求項５】
前記主マットおよび前記補助マットは、低発泡ウレタンフォームで作製されていることを特徴とする、請求項１ないし請求項４のいずれかに記載の看護用マット。
【発明の詳細な説明】
【技術分野】
【０００１】
この発明は、看護等に使用可能な用具に関し、特にたとえば、体型を保持するための看護用マットに関する。
【背景技術】
【０００２】
従来、身体の体型を保持するための用具として、ウレタンや綿等により形成された体型保持用クッションやマット等が知られている。
【０００３】
たとえば、身体の頭部および頚部を安定させるように構成された体型を保持するための用具として、肩背部および両肩から上腕部を支えるくの字状のマクラと頭部を支えるマクラの上に、頚部を支える半円状のマクラが紐等で構成された体型を保持するための用具がある。この体型を保持するための用具を用いることにより、身体の頭部および頚部が、常にマクラに安定した態勢に収まり、肩関節と上腕部がくの字状のマクラによって内側に支えられる為、神経の出口である神経孔が開き、神経が弛んだ状態となって頚椎症やムチ打ち症等による神経症状を緩和することができる。（たとえば、特許文献１参照）。
【０００４】
【特許文献１】実用新案登録第３０２２８３９号公報
【発明の開示】
【発明が解決しようとする課題】
【０００５】
しかしながら、上述したような体型を保持するための用具は、肩背部および両肩から上腕部を支えるくの字状のマクラおよび頭部を支えるマクラの上に取り付けられた頚部を支える半円状のマクラによって、身体の頚部より上の部分を保持することを主とした機能としているため、身体の胴部に対する保持はされていないことから、たとえば、看護等において病人等に対して処置をする際に、身体の体型を保持する用具として使用するのには不十分であるという問題がある。
【０００６】
それゆえに、この発明の主たる目的は、身体の体型を保持するための看護用マットを提供することである。
【課題を解決するための手段】
【０００７】
この発明にかかる看護用マットは、弾性を有する主マットおよび補助マットからなる看護用マットであって、主マットは、メインマット部、および、互いに略平行に距離を隔てて配置される一対のサイドマット部を含み、メインマット部および一対のサイドマット部により全体がコの字状の平面形状で、且つ全面均一な厚みを持って形成され、メインマット部および一対のサイドマット部により囲まれた領域には、保持空間部が形成され、一対のサイドマット部は、少なくとも身体の肩から肘の部分が載せられる長さを有し、保持空間部の周縁部における主マットの上面には、身体上部支持面が形成され、保持空間部は、保持空間部と身体上部支持面との協働作用により身体の胸部近傍における胴部が自重により沈むことができる程度に保持できる大きさを備え、補助マットは、略直方体で主マットと略同じ高さ（厚さ）に形成され、且つ少なくとも身体の頭部の幅よりも広く背肩幅よりも狭い大きさを有することを特徴とする、看護用マットである。
また、この発明にかかる看護用マットは、主マットは、保持空間部が、身体の胸部近傍における胴部（脇より下の部分）が自重により沈むことができる程度の大きさを備え、且つメインマット部が、上半身の上部（頭部を除く）が自重により沈むことなくメインマット部の上面で支えられる大きさを備え、補助マットは、身体の後頭部または前頭部を支持する機能を有することを特徴とする看護用マットである。
更に、この発明にかかる看護用マットは、主マットは、保持空間部が、身体の胸部近傍における胴部（頚部より下の部分）が自重により沈むことができる程度の大きさを備え、且つメインマット部が、身体の頭部が自重により沈むことなくメインマット部の上面で支えられる大きさを備え、補助マットは、主マットの一対のサイドマット部の一方の他端部の前面と連接するように形成されることを特徴とする看護用マットである。
この発明にかかる看護用マットでは、メインマット部の幅の長さは、５５ｃｍ以上で、治療用ベッドの幅の長さ以下の長さであることが好ましい。
また、この発明にかかる看護用マットでは、主マットおよび補助マットは、低発泡ウレタンフォームで作製されていることが好ましい。
【発明の効果】
【０００８】
この発明にかかる看護用マットは、主マットと補助マットからなる。主マットは、メインマット部、および、互いに平行に距離を隔てて配置される一対のサイドマット部とを含み、メインマット部と一対のサイドマット部により全体がコの字状の平面形状で、且つ全面均一な厚みを持って形成される。そして、メインマット部および一対のサイドマット部により囲まれた領域には、保持空間部が形成される。また、保持空間部の周縁部における主マットの上面には、身体上部支持面が形成されている。そして、保持空間部において、身体の胸部近傍の胴部が、保持空間部と身体上部支持面との協働作用により保持されることとなる。また、身体の両腕部は、一対のサイドマット部の上面において支持される。よって、この発明によれば、両腕部を含めた身体の体型を安定して保持する看護用マットを得ることができる。また、この発明にかかる看護用マットを用いると、たとえば、看護を行う場合、身体の体型が安定して保持されるので、リハビリや点滴等の看護処置を容易に行うことができる。
この発明にかかる看護用マットにおいて、補助マットが身体の後頭部を支持し、主マットの保持空間部が、身体の胸部付近における胴部、特に脇より下の部分を自重により沈むことができるような大きさを備え、且つ主マットのメインマット部が、身体の上半身の上部（頭部を除く）を自重により沈むことなくメインマット部の上面で支えることにより、身体の胴部、特に脇より下の部分を安定して保持することができる。つまり、主マットの保持空間部が、身体の胴部、特に脇の下の部分を自重により沈むことができる程度に保持し、メインマット部が、身体の上半身の上部（頭部を除く）を支持することにより、身体の胴部、特に脇の下の部分が沈むと同時に、身体の肩部が相対的に上方へ押し上げられることで、たとえば、胸郭出口症候群の原因である腕神経叢やその周囲の血管の圧迫や牽引をやわらげることから、胸郭出口症候群の諸症状、たとえば、肩こりや腕のしびれ等が改善できるという効果がある。
また、この発明にかかる看護用マットにおいて、主マットの保持空間部が、身体の胸部付近における胴部、特に頚部より下の部分を自重により沈むことができるような大きさを備え、且つ主マットのメインマット部が、身体の頭部を自重により沈むことなくメインマット部の上面で支えられる大きさを備えることで、より身体の体型が安定して保持される。そして、たとえば、点滴等の処置をする際には、略同じ高さの補助マットが、点滴の処置をする側のサイドマット部に連接するように設置されることで、点滴される腕を安定して支持することができ、結果、所定の処置を容易に行うことができる。
更に、この発明にかかる看護用マットにおいて、補助マットが身体の前頭部を支持し、主マットの保持空間部が、身体の胸部前面を保持することで、うつ伏せの状態でも使用することができる。よって、たとえば、身体の背部等における怪我等の処置も、うつ伏せの状態で身体の体型を安定して保持できるので、所定の処置を容易に行うことができる。
また、この発明にかかる看護用マットは、主マットのメインマット部の幅の広さが、５５ｃｍ以上で、且つ治療用ベッドの幅の広さ以下で作製されることで、治療用ベッドに安定して設置することができる。
更に、この発明にかかる看護用マットは、主マットおよび補助マットともに、低発泡ウレタンフォームで作製されることで、ウレタンフォームにおける、軽量で、クッション性、耐久性に優れ、衝撃吸収性が良いという特徴から、治療用ベッドの上における長時間にわたる看護処置では、身体に対して大きな負担をかけることなく処置を続けることができる。
【０００９】
この発明の上述の目的，その他の目的，特徴および利点は、図面を参照して行う以下の発明を実施するための最良の形態の詳細な説明から一層明らかとなろう。
【発明を実施するための最良の形態】
【００１０】
図１は、この発明にかかる看護用マットの一例を示す平面図であり、図２および図３は、図１に示された看護用マットにおける断面図を示している。また、図４は、この発明にかかる看護用マットの一例を示す斜視図である。この看護用マット１０は、主マット１２および補助マット１４を有している。主マット１２および補助マット１４は、略同じ高さ（厚さ）で形成され、たとえば、高さ（厚さ）は、８ｃｍで形成される。
【００１１】
主マット１２は、主マット本体１２ａと主マット本体１２ａを覆うように形成された主マットカバー１２ｂで構成されている。主マット本体１２ａは、たとえば、発泡ウレタンフォームにより、５５ｃｍ角で形成され、高さ（厚さ）は、８ｃｍで形成される。また、主マットカバー１２ｂは、主マット本体１２ａに対して取り外し可能な状態で取り付けられる。そして、主マットカバー１２ｂは、たとえば、ポリエステルニットにより作製される。
主マット１２は、メインマット部１６、および、互いに略平行に距離を隔てて配置される一対のサイドマット部１８、１８を含み、メインマット部１６と一対のサイドマット部１８、１８により、全体がコの字状の平面形状で、且つ全体が全面均一な厚みを持って形成される。そして、メインマット部１６および一対のサイドマット部１８、１８により囲まれた領域には、身体の胸部近傍を保持するための保持空間部２０が形成されている。そして、主マット１２に形成された保持空間部２０の周縁部における主マット１２の上面には、身体上部支持面２２が形成されている。また、保持空間部２０において、メインマット部１６が位置する方向の反対側には、身体の腰部を挟むように保持するための開口部２４が形成されている。
メインマット部１６は、身体の頭部または上半身の上部（頭部を除く）を支持する機能を有するものである。メインマット部１６において、メインマット部１６の上面における身体上部支持面２２に隣接する面には、身体支持面１６ａが形成されている。また、メインマット部１６の横の長さは、看護マット１０が治療用ベッドからはみ出ることなく載せられるように、たとえば、５５ｃｍで形成される。
一対のサイドマット部１８、１８は、主に身体の腕部を支持する機能を有するものである。一対のサイドマット部１８、１８において、一対のサイドマット部１８、１８の上面における身体上部支持面２２に隣接する面には、上腕支持面１８ａ、１８ａが形成されている。そして、一対のサイドマット部１８、１８の他端部の前面には、前面１８ｂ、１８ｂが形成されている。また、一対のサイドマット部１８、１８は、上腕支持面１８ａ、１８ａにおいて、少なくとも身体の肩から肘の部分が乗せられる長さを有しており、その長さは、たとえば、３５ｃｍで形成される。
保持空間部２０は、保持空間部２０と身体上部支持面２２との協働作用により、たとえば、身体の胸部近傍の胴部が自重により沈むことができる程度に保持できる大きさを有している。本発明にかかる看護用マット１０の主マット１２における保持空間部２０は、たとえば、縦３５ｃｍ、横幅２３ｃｍ、高さ８ｃｍの大きさで形成される。
【００１２】
補助マット１４は、補助マット本体１４ａと補助マット本体１４ａを覆うように形成された補助マットカバー１４ｂで構成されている。補助マット本体１４ａは、たとえば、発泡ウレタンフォームにより、縦１６ｃｍ、横３４ｃｍ、高さ８ｃｍで形成される。また、補助マットカバー１４ｂは、補助マット本体１４ａに対して取り外し可能な状態で取り付けられ、たとえば、ポリエステルニットにより作製される。
補助マット１４は、身体の頭部や腕部を支持する機能を有するものである。補助マット１４は、略直方体で形成され、且つ少なくとも身体の頭部の幅よりも広く背肩幅よりも狭い長さを有している。そして、補助マット１４には、補助支持面１４ｃおよび側面１４ｄを有しており、主マット１２と略同じ高さ（厚さ）で形成される。
【００１３】
図５は、この発明にかかる看護用マットの使用例を示し、図６は、図５における断面図を示している。図中の斜線部は、身体が看護用マット１０に対して接する部分を示している。図５もしくは図６のように、たとえば、看護用マット１０に身体の胸部近傍の胴部が仰向けの状態で載せられる場合、主マット１２の保持空間部２０は、保持空間部２０と身体上部支持面２２との協働作用により、身体の胸部付近の胴部を自重により沈むことができる程度に保持できる大きさを備えており、且つ主マット１２の開口部２４において、一対のサイドマット部１８、１８により身体の腰部を挟むように保持することで、身体を安定して保持することができる。
この保持空間部２０において、保持空間部２０の横幅が狭すぎると、身体の胸部近傍の胴部が自重により保持空間部２０に沈めることができなくなり、開口部２４において、一対のサイドマット部１８、１８により身体の腰部を挟むことができなくなるので、結果、身体を保持することができなくなる。つまり、保持空間部２０の横幅が狭すぎると、平坦なマットに身体の胸部近傍を載せている場合と同様な状態となり、身体の胴部を保持することができなくなる。反対に、この保持空間部２０の横幅が広すぎると、身体の胸部近傍の胴部が保持空間部２０に完全に収まってしまうことから、身体の胴部を保持することができなくなり、且つ開口部２４においても、サイドマット部１８、１８により身体の腰部を挟むように保持できなくなるので、結果、身体を保持することができなくなる。よって、保持空間部２０は、自重により身体の胴部が沈む程度に保持できる大きさを有していなければならない。
また、身体の両腕部は、一対のサイドマット部１８、１８の上腕支持面１８ａ、１８ａ上に支持される。
よって、たとえば、病人や怪我人等の身体を保持しながらリハビリや点滴などの看護の処置をしなければならない場合に、両腕部を含めた身体を安定して保持することで、所定の処置を容易に行うことができる。このとき、補助マット１４は、たとえば、身体の後頭部を支持するのに用いられる。
【００１４】
また、図５に示すように、この看護用マット１０では、補助マット１４の補助支持面１４ａで後頭部を支持し、主マット１２の保持空間部２０が、保持空間部２０と身体上部支持面２２との協働作用により、身体の胸部付近における胴部、特に脇より下の部分を自重により沈むことができる程度に保持し、且つ主マット１２のメインマット部１６の身体支持面１６ａが、身体の上半身の上部（頭部を除く）を自重により沈むことなく支持するので、身体の胴部、特に脇より下の部分を安定して保持することができる。また、身体の両腕部の肩から肘の部分は、一対のサイドマット部１８、１８の上腕支持面１８ａ、１８ａ上に支持される。よって、たとえば、肩こりや腕のしびれの原因といわれている胸郭出口症候群の改善に効果がある。
胸郭出口症候群とは、頚髄から枝分かれした一部の頚神経が一塊となって形成された腕神経叢とその周囲の血管が、身体の胸郭出口部で骨（頚肋、鎖骨および第一肋骨）や筋肉（前斜角筋や中斜角筋など）によって、圧迫および牽引されて起こる症状をいう。つまり、上述したように、この発明にかかる看護用マット１０を用いることで、主マット１２の保持空間部２０において、身体の胴部、特に脇より下の部分が自重により沈むと同時に、主マット１２のメインマット部１６の身体支持面１６ａにおいて、身体の肩部が相対的に上方へ押し上げられることから、身体の胸郭出口部における腕神経叢やその周囲の血管の圧迫や牽引をやわらげることでき、結果、胸郭出口症候群の諸症状を改善することができる。ここで、胸郭出口部とは、鎖骨・第1肋骨と周辺の筋群(小胸筋・前斜角筋・中斜角筋)で形成される部分のことをいう。
【００１５】
また、図７は、この発明にかかる看護用マットの他の使用例を示している。図中の斜線部は、身体が看護用マット１０に対して接する部分を示している。図のように、この看護用マット１０を点滴の処置に使用する場合には、主マット１２の保持空間部２０が、保持空間部２０と身体上部支持面２２との協働作用により、身体の胸部付近における胴部（頚部より下の部分）を自重により沈むことができる程度に保持し、且つ主マット１２のメインマット部１６の身体支持面１６ａが、身体の頭部を自重により沈むことなく支持する。更に、主マット１２の開口部２４において、一対のサイドマット部１８、１８により身体の腰部を挟むように保持することで、身体の上半身を安定して保持することができる。また、身体の両腕部の肩から肘の部分は、一対のサイドマット部１８、１８の上腕支持面１８ａ、１８ａ上に支持される。
加えて、主マット１２と略同じ高さの補助マット１４の側面１４ｂを、点滴の処置をする腕部に相当する側のサイドマット部１８の前面１８ｂに連接するように設置させることで、補助マット１４の補助支持面１４ａ上に身体の腕部、特に肘より先の部分をより安定した状態で支持することができるので、所定の処置を容易に行うことができる。
【００１６】
図８は、この発明にかかる看護用マットの他の使用例を示している。図中の斜線部は、身体が看護用マット１０に対して接する部分を示している。図のように、この看護用マット１０において、身体の胸部近傍の胴部がうつ伏せの状態で載せられる場合、補助マット１４の補助支持面１４ａが前頭部を支持し、主マット１２の保持空間部２０が、保持空間部２０と身体上部支持面２２との協働作用により、身体の胴部、特に脇より下の胴部を自重により沈むことができる程度に保持し、且つ主マット１２のメインマット部１６の身体支持面１６ａが、身体の上半身の上部（頭部を除く）を自重により沈むことなく支持する。更に、主マット１２の開口部２４において、一対のサイドマット部１８、１８により身体の腰部を挟むように保持することで、身体の胴部を安定して保持することができる。
よって、たとえば、身体の背部における処置等、うつ伏せの状態で処置をしなければならない状況の場合には、うつ伏せの状態で身体の胴部を安定して保持することができることから、所定の処置を容易に行うことができる。
【００１７】
更に、図９は、この発明にかかる看護用マットの他の使用例を示している。図中の斜線部は、身体が看護用マット１０に対して接する部分を示している。図のように、この看護用マット１０では、主マット１２の保持空間部２０が、保持空間部２０と身体上部支持面２２との協働作用により、身体の胸部付近における胴部、特に脇より下の部分を自重により沈むことができる程度に保持し、且つ主マット１２のメインマット部１６の身体支持面１６ａが、身体の上半身の上部（頭部を除く）を自重により沈むことなく支持する。更に、主マット１２の開口部２４において、一対のサイドマット部１８、１８により身体の腰部を挟むように保持する。そして、身体の頭部をメインマット部１６の外周縁より外側へ突出させることで、身体の後頭部がメインマット部１６の身体支持面１６ａから下方に下がることにより、たとえば、応急処置における気道確保のための下顎を上に向けるといった体勢を容易に行うことができ、且つ身体の体型を安定して保持することができる。また、このとき身体の両腕部は、一対のサイドマット部１８、１８の上腕支持面１８ａ、１８ａ上に支持される。
【００１８】
また、図１０は、この発明にかかる看護用マットの他の使用例を示している。図中の斜線部は、身体が看護用マット１０に対して接する部分を示している。図のように、この看護用マット１０では、主マット１２のメインマット部１６の身体支持面１６ａが、脚部の膝窩部を支持し、更に、保持空間部２０に脚部の腓腹部以下の部分を、一対のサイドマット部１８、１８で挟むように配置させることで、身体の脚部を安定して保持することができる。
よって、たとえば、脚部に点滴をするといった、身体の脚部を保持して看護をしなければならない場合等に適用することができる。この場合、補助マット１４は、身体の後頭部を保持するのに使用される。
【００１９】
図１１は、この発明にかかる看護用マットの主マットにおける他の例を示した下からの斜視図である。図１１に示す主マット１１２は、図４に示す主マット１２と比べて、保持空間部２０において、保持空間部２０の底部をふさぐように形成された主マットカバー１１２ｂを、主マット本体１２ａの略正方形の底面２６の全体を含めて取り付けることで形成されたものである。主マットカバー１１２ｂは、保持空間部２０の幅方向の長さが不用意に変わらないように、保持空間部２０の幅方向の間隔を略一定に保たせる機能を有するものである。
すなわち、上述の主マット１１２では、サイドマット部１８、１８が主マットカバー１１２ｂで固定されているので、開口部２４の幅が広がり難くなる。したがって、主マット１１２の保持空間部２０において身体の胴部を保持し、また、開口部２４において身体の腰部を保持する際に、サイドマット部１８、１８が外側に広がることで身体の胴部および腰部を保持する効果の低下を防ぐことができる。
また、主マット１１２は、主マット本体１２ａに対して、あらかじめ、主マット本体１２ａの略正方形の底面２６の大きさに相当する樹脂板等を、たとえば、接着剤等で直接取り付けておいてから、主マットカバー１１２ｂを取り付けるように形成されてもよい。
【００２０】
図１２は、この発明にかかる看護用マットの他の例を示す斜視図である。この看護用マット２１０は、主マット２１２および補助マット２１４を有している。
主マット２１２は、メインマット部２１６および互いに略平行に距離を隔てて配置される一対のサイドマット部２１８、２１８を含み、メインマット部２１６と一対のサイドマット部２１８、２１８により全体がコの字状に形成される。そして、メインマット部２１６および一対のサイドマット部２１８、２１８により囲まれた領域には、身体の胸部近傍を保持するための保持空間部２２０が形成されている。そして、主マット２１２に形成された保持空間部２２０の周縁部における主マット２１２の上面には、身体上面支持面２２２が形成されている。また、保持空間部２２０において、メインマット部２１６が位置する方向の反対側には、身体の腰部を挟むように保持するための開口部２２４が形成されている。
メインマット部２１６は、身体の頭部を支持する機能を有するものである。メインマット部２１６において、メインマット部２１６の上面における身体上部支持面２２２に隣接する面には、身体支持面２１６ａが形成されている。
一対のサイドマット部２１８、２１８は、主に身体の腕部を支持する機能を有するものであり、開口部２２４の方向に向かうに従って、低くなるように傾斜されて形成されている。傾斜された一対のサイドマット部２１８、２１８の上面における身体上部支持面２２２に隣接する面には、上腕支持面２１８ａ、２１８ａが形成されている。そして、傾斜された一対のサイドマット部２１８、２１８の他端部の前面には、前面２１８ｂ、２１８ｂが形成されている。また、傾斜された一対のサイドマット部２１８、２１８は、上腕支持面２１８ａ、２１８ａにおいて、少なくとも身体の肩から肘の部分が乗せられる長さを有している。傾斜角の大きさは、たとえば、５°〜１０°が好ましいが、より好ましいのは、８°前後である。
【００２１】
補助マット２１４は、主に、腕部を支持する機能を有するものである。補助マット２１４は、補助支持面２１４ｃおよび側面２１４ｄ、２１４ｅを有している。
補助支持面２１４ｃは、側面２１４ｅ側に、ある一定の平面部を有し、さらに、側面２１４ｅから側面２１４ｄに向かうに従って、低くなるように傾斜されて形成されている。傾斜角の大きさは、たとえば、５°〜１０°が好ましいが、より好ましいのは、８°前後である。
【００２２】
図１３は、この発明にかかる看護用マットの使用例を示している。この看護用マット２１０を点滴の処置に使用する場合には、主マット２１２の保持空間部２２０が、保持空間部２２０と身体上部支持面２２２との協働作用により、身体の胸部付近における胴部（頚部より下の部分）を自重により沈むことができる程度に保持し、且つ主マット２１２のメインマット部２１６の身体支持面２１６ａが、身体の頭部を自重により沈むことなく支持する。更に、主マット２１２の開口部２２４において、傾斜された一対のサイドマット部２１８、２１８により身体の腰部を挟むように保持することで、身体の上半身を安定して保持することができる。また、このように一対のサイドマット部２１８、２１８に傾斜をつけることで、長時間の点滴による治療に対しても、身体に負担がかからない。また、身体の両腕部の肩から肘の部分は、傾斜された一対のサイドマット部２１８、２１８の上腕支持面２１８ａ、２１８ａ上に支持されている。
加えて、主マット２１２と補助マット２１４の側面２１４ｄとを、点滴の処置をする腕部に相当する側のサイドマット部２１８の前面２１８ｂに連接するように設置させることで、補助マット２１４における傾斜された補助支持面２１４ｃ上に身体の腕部、特に肘より先の部分をより安定した状態で支持することができるので、所定の処置を容易に行うことができる。
結果、傾斜された一対のサイドマット部２１８、２１８の上腕支持面２１８ａ、２１８ａや補助マット２１４の補助支持面２１４ｃにおける傾斜に腕を支持させることで、自然な体勢を保持することが可能となり、身体に対して、リラックス効果を高めることができる。
【００２３】
看護用マット１０における主マット１２、１１２および補助マット１４は、主マットカバー１２ｂおよび補助マットカバー１４ｂが取り付けられることで、看護用マット１０の材料である発泡ウレタンフォームが直接身体に触れることなく、身体の体型が保持される。また、主マットカバー１２ｂ、１１２ｂにおいて、主マット１２、１１２の底面にあたる部分は、たとえば、治療用ベッドの載置面に対して滑り難くなるような材料を用いることで、この看護用マット１０は、身体の体型を安定して保持することができる。
また、本発明にかかる看護用マット１０における主マット１２、１１２および補助マットカバー１４ｂは、ポリエステルニットにより作製したが、ビニールレザーにより作製されてもかまわない。ポリエステルニットは、通気性に優れていることから一般用として用いることができ、ビニールレザーは、耐久性に優れていることから業務用として用いることができる。そして、ビニールレザーおよびポリエステルニット、両素材ともに、必要に応じて撥水、抗菌防臭および滑り止め加工が適宜施されてもよい。
更に、これらカバーは、袋状に形成されることにより取り外し可能な状態で取り付けられるため、看護を行ったときにカバーが汚れた際に、そのカバーを取り外して洗濯したり、またはきれいなものと交換したりすることができるので、この看護用マット１０は、清潔な状態で使用することができる。
【００２４】
また、この看護用マット１０、２１０を収納する際に、補助マット１４、２１４を主マット１２、１１２、２１２の保持空間部２０、２２０に位置させることで、全体をコンパクトに収納することができる。
【００２５】
なお、上述の主マット１２、１１２、２１２の保持空間部２０、２２０の幅は可変とし、あらかじめいくつかの幅のパターンの看護用マット１０、２１０を作製しておいてもよい。また、保持空間部２０、２２０の幅の広さが、手動で調節できるように作製されていてもよい。更に、たとえば、大人用、子供用と大きさの異なる看護用マットをあらかじめ作製しておいてもよく、大人用でも、男性用、女性用と異なる大きさの看護用マットをあらかじめ作製しておいてもよい。
【００２６】
また、上述の看護用マット１０、２１０は、発泡ウレタンフォームにより作製したが、弾性を有するものであれば、たとえば、空気式クッションで作製されてもよい。
【００２７】
更に、上述の看護用マット１０、２１０は、治療ベッド上に置かれることを前提として作製されているが、それに限定されるものではなく、身体の体型を保持することにより看護をする際に、この看護用マット１０、２１０は、どこで使用されてもかまわない。
【産業上の利用可能性】
【００２８】
この発明にかかる看護用マットは、たとえば、病人等を看護する際に、身体の体型を保持するための用具として使用される。
【図面の簡単な説明】
【００２９】
【図１】この発明にかかる看護用マットを示す平面図である。
【図２】図１に示す看護用マットの平面図のＸ−Ｘ断面図である。
【図３】図１に示す看護用マットの平面図のＹ−Ｙ断面図である。
【図４】図１に示す看護用マットを示す斜視図である。
【図５】図４に示す看護用マットの使用例を示した図解図である。
【図６】図５に示す看護用マットの使用例における断面図である。
【図７】図４に示す看護用マットの他の使用例を示した図解図である。
【図８】図４に示す看護用マットの更に他の使用例を示した図解図である。
【図９】図４に示す看護用マットの他の使用例を示した図解図である。
【図１０】図４に示す看護用マットの更に他の使用例を示した図解図である。
【図１１】この発明にかかる看護用マットにおける主マットの他の例を示す斜視図である。
【図１２】この発明にかかる看護用マットのさらに他の例を示す斜視図である。
【図１３】図１２に示す看護用マットの使用例を示した図解図である。
【符号の説明】
【００３０】
１０、２１０  看護用マット
１２、１１２、２１２  主マット
１４、２１４  補助マット
１６、２１６  メインマット部
１８、２１８  サイドマット部
２０、２２０  保持空間部
２２、２２２  身体上部支持面
２４、２２４  開口部
２６  底面
【図１】
2006015129.tif 000003
【図２】
2006015129.tif 000004
【図３】
2006015129.tif 000005
【図４】
2006015129.tif 000006
【図５】
2006015129.tif 000007
【図６】
2006015129.tif 000008
【図７】
2006015129.tif 000009
【図８】
2006015129.tif 000010
【図９】
2006015129.tif 000011
【図１０】
2006015129.tif 000012
【図１１】
2006015129.tif 000013
【図１２】
2006015129.tif 000014
【図１３】
2006015129.tif 000015